【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
ユーザの端末と通信可能に接続され、同一の商品を販売する複数店舗の商品ページを提供する商品検索支援サーバであって、
前記端末から前記複数店舗のうちの一の店舗の商品ページについての表示要求を受信する受信部であって、該一の店舗の商品ページが、前記複数店舗の商品ページの中から検索を行うための検索キーワードを入力可能な検索入力部を含む、該受信部と、
店舗を示す店舗情報と該店舗が販売する商品を示す情報とを含む１以上の商品情報を記憶する商品情報記憶部から、前記一の店舗の商品ページにおいて販売される販売商品を一意に特定できる文字列である商品特定情報を抽出する抽出部と、
前記検索入力部に前記商品特定情報が初期値として設定された前記一の店舗の商品ページを前記端末に送信する送信部と、
を備える、商品検索支援サーバ。
【請求項２】
前記送信部によって前記一の店舗の商品ページが前記端末に送信された後に、前記ユーザによる前記端末の操作により、前記一の店舗の商品ページから、検索キーワードが入力される他の検索入力部を有する検索ページへの遷移要求を検出したときに、前記他の検索入力部に前記商品特定情報を初期値として設定する追加部を更に備え、
前記送信部は、前記他の検索入力部に前記商品特定情報が初期値として設定された前記検索ページを前記端末に送信する、請求項１に記載の商品検索支援サーバ。
【請求項３】
前記ユーザの行動履歴を記憶する行動履歴記憶部から、前記ユーザの行動履歴を取得する行動履歴取得部と、
前記行動履歴に基づいて、前記ユーザが、前記検索ページに移動した後に前記他の検索入力部による検索をする傾向があるか否かを判定する判定部と、を更に備え、
前記追加部は、前記判定部により、前記ユーザが前記検索ページに移動した後に前記他の検索入力部による検索をする傾向がないと判定された場合には、前記他の検索入力部に前記商品特定情報を初期値として設定しない、請求項２に記載の商品検索支援サーバ。
【請求項４】
前記端末から検索要求を受信し、前記複数店舗の商品ページから該検索要求に対応する商品ページを抽出し、該抽出された商品ページのリストを前記端末に出力する検索部と、
前記ユーザから前記商品特定情報に関する検索要求を受信し、前記一の店舗とは異なる他の店舗から前記販売商品が前記ユーザによって購入されたことを検出した後、前記一の店舗に報酬が支払われるように、前記店舗情報で示される店舗毎に支払われるべき報酬額を示す報酬データを更新する報酬付与部と、
を更に備える、請求項１〜３の何れか一項に記載の商品検索支援サーバ。
【請求項５】
ユーザの端末と通信可能に接続され、同一の商品を販売する複数店舗の商品ページを提供する商品検索支援サーバによって実行される商品検索支援方法であって、
前記端末から前記複数店舗のうちの一の店舗の商品ページについての表示要求を受信する受信ステップであって、該一の店舗の商品ページが、前記複数店舗の商品ページの中から検索を行うための検索キーワードを入力可能な検索入力部を含む、該受信ステップと、
店舗を示す店舗情報と該店舗が販売する商品を示す情報とを含む１以上の商品情報を記憶する商品情報記憶部から、前記一の店舗の商品ページにおいて販売される販売商品を一意に特定できる文字列である商品特定情報を抽出する抽出ステップと、
前記検索入力部に前記商品特定情報が初期値として設定された前記一の店舗の商品ページを前記端末に送信する送信ステップと、
を含む、商品検索支援方法。
【請求項６】
コンピュータを、ユーザの端末と通信可能に接続され、同一の商品を販売する複数店舗の商品ページを提供する商品検索支援サーバとして機能させるための商品検索支援プログラムであって、
前記コンピュータに、
前記端末から前記複数店舗のうちの一の店舗の商品ページについての表示要求を受信する受信機能であって、該一の店舗の商品ページが、前記複数店舗の商品ページの中から検索を行うための検索キーワードを入力可能な検索入力部を含む、該受信機能と、
店舗を示す店舗情報と該店舗が販売する商品を示す情報とを含む１以上の商品情報を記憶する商品情報記憶部から、前記一の店舗の商品ページにおいて販売される販売商品を一意に特定できる文字列である商品特定情報を抽出する抽出機能と、
前記検索入力部に前記商品特定情報が初期値として設定された前記一の店舗の商品ページを前記端末に送信する送信機能と、
を実現させる商品検索支援プログラム。
【請求項７】
端末から一の店舗の商品ページの表示要求、又は、複数店舗の商品ページの中から検索を行うための検索キーワードを入力可能な検索入力部を有し前記商品ページとは異なる検索ページへの遷移要求を受信する受信部と、前記表示要求又は前記遷移要求に応じて、前記一の店舗の商品ページ又は前記検索ページを前記端末に送信する送信部とを備える商品検索支援サーバであって、
前記表示要求を受信した場合に、店舗を示す店舗情報と該店舗が販売する商品を示す情報とを含む１以上の商品情報を記憶する商品情報記憶部から、前記一の店舗の商品ページにおいて販売される販売商品を一意に特定できる商品特定情報を抽出する抽出部と、
前記端末のユーザが、前記検索ページを表示した後に該検索入力部を用いて検索をする傾向があるユーザであるか否かを、前記ユーザの行動履歴を記憶する記憶部から取得した前記ユーザの行動履歴に基づいて判定する判定部と、
前記送信部によって前記一の店舗の商品ページが前記端末に送信された後に、前記端末から前記検索ページへの遷移要求を受信した場合、前記判定部により前記ユーザが前記検索入力部を用いて検索をする傾向があるユーザであると判定された場合には、前記商品特定情報を初期値として前記検索ページの前記検索入力部に追加し、前記判定部により前記ユーザが前記検索入力部を用いて検索をする傾向があるユーザではないと判定された場合には、前記商品特定情報を初期値として前記検索ページの前記検索入力部に追加しない追加部と、
を備える、
商品検索支援サーバ。
【請求項８】
端末から一の店舗の商品ページの表示要求、又は、複数店舗の商品ページの中から検索を行うための検索キーワードを入力可能な検索入力部を有し前記商品ページとは異なる検索ページへの遷移要求を受信する受信部と、前記表示要求又は前記遷移要求に応じて、前記一の店舗の商品ページ又は前記検索ページを前記端末に送信する送信部とを備える商品検索支援サーバによって実行される商品検索支援方法であって、
前記表示要求を受信した場合に、店舗を示す店舗情報と該店舗が販売する商品を示す情報とを含む１以上の商品情報を記憶する商品情報記憶部から、前記一の店舗の商品ページにおいて販売される販売商品を一意に特定できる商品特定情報を抽出する抽出ステップと、
前記端末のユーザが、前記検索ページを表示した後に該検索入力部を用いて検索をする傾向があるユーザであるか否かを、前記ユーザの行動履歴を記憶する記憶部から取得した前記ユーザの行動履歴に基づいて判定する判定ステップと、
前記送信部によって前記一の店舗の商品ページが前記端末に送信された後に、前記端末から前記検索ページへの遷移要求を受信した場合、前記判定ステップにおいて前記ユーザが前記検索入力部を用いて検索をする傾向があるユーザであると判定された場合には、前記商品特定情報を初期値として前記検索ページの前記検索入力部に追加し、前記判定ステップにおいて前記ユーザが前記検索入力部を用いて検索をする傾向があるユーザではないと判定された場合には、前記商品特定情報を初期値として前記検索ページの前記検索入力部に追加しない追加ステップと、
を含む、
商品検索支援方法。
【請求項９】
コンピュータを、端末から一の店舗の商品ページの表示要求、又は、複数店舗の商品ページの中から検索を行うための検索キーワードを入力可能な検索入力部を有し前記商品ページとは異なる検索ページへの遷移要求を受信する受信機能と、前記表示要求又は前記遷移要求に応じて、前記一の店舗の商品ページ又は前記検索ページを前記端末に送信する送信機能とを備える商品検索支援サーバとして機能させるための商品検索支援プログラムであって、
前記コンピュータに、
前記表示要求を受信した場合に、店舗を示す店舗情報と該店舗が販売する商品を示す情報とを含む１以上の商品情報を記憶する商品情報記憶部から、前記一の店舗の商品ページにおいて販売される販売商品を一意に特定できる商品特定情報を抽出する抽出機能と、
前記端末のユーザが、前記検索ページを表示した後に該検索入力部を用いて検索をする傾向があるユーザであるか否かを、前記ユーザの行動履歴を記憶する記憶部から取得した前記ユーザの行動履歴に基づいて判定する判定機能と、
前記送信機能によって前記一の店舗の商品ページが前記端末に送信された後に、前記端末から前記検索ページへの遷移要求を受信した場合、前記判定機能により前記ユーザが前記検索入力部を用いて検索をする傾向があるユーザであると判定された場合には、前記商品特定情報を初期値として前記検索ページの前記検索入力部に追加し、前記判定機能により前記ユーザが前記検索入力部を用いて検索をする傾向があるユーザではないと判定された場合には、前記商品特定情報を初期値として前記検索ページの前記検索入力部に追加しない追加機能と、
を実現させる、
商品検索支援プログラム。
【手続補正２】
【補正対象書類名】明細書
【補正対象項目名】０００７
【補正方法】変更
【補正の内容】
【０００７】
本発明の一形態に係る商品検索支援サーバは、ユーザの端末と通信可能に接続され、同一の商品を販売する複数店舗の商品ページを提供する商品検索支援サーバであって、
端末から複数店舗のうちの一の店舗の商品ページについての表示要求を受信する受信部であって、該一の店舗の商品ページが、複数店舗の商品ページの中から検索を行うための検索キーワードを入力可能な検索入力部を含む、該受信部と、店舗を示す店舗情報と該店舗が販売する商品を示す情報とを含む１以上の商品情報を記憶する商品情報記憶部から、一の店舗の商品ページにおいて販売される販売商品を一意に特定できる文字列である商品特定情報を抽出する抽出部と、検索入力部に商品特定情報が初期値として設定された一の店舗の商品ページを端末に送信する送信部と、を備える。
【手続補正３】
【補正対象書類名】明細書
【補正対象項目名】０００８
【補正方法】変更
【補正の内容】
【０００８】
本発明の一形態に係る商品検索支援方法は、ユーザの端末と通信可能に接続され、同一の商品を販売する複数店舗の商品ページを提供する商品検索支援サーバによって実行される商品検索支援方法であって、端末から複数店舗のうちの一の店舗の商品ページについての表示要求を受信する受信ステップであって、該一の店舗の商品ページが、複数店舗の商品ページの中から検索を行うための検索キーワードを入力可能な検索入力部を含む、該受信ステップと、店舗を示す店舗情報と該店舗が販売する商品を示す情報とを含む１以上の商品情報を記憶する商品情報記憶部から、一の店舗の商品ページにおいて販売される販売商品を一意に特定できる文字列である商品特定情報を抽出する抽出ステップと、検索入力部に商品特定情報が初期値として設定された一の店舗の商品ページを端末に送信する送信ステップと、を含む。
【手続補正４】
【補正対象書類名】明細書
【補正対象項目名】０００９
【補正方法】変更
【補正の内容】
【０００９】
本発明の一形態に係る商品検索支援プログラムは、コンピュータを、ユーザの端末と通信可能に接続され、同一の商品を販売する複数店舗の商品ページを提供する商品検索支援サーバとして機能させるための商品検索支援プログラムであって、コンピュータに、端末から複数店舗のうちの一の店舗の商品ページについての表示要求を受信する受信機能であって、該一の店舗の商品ページが、複数店舗の商品ページの中から検索を行うための検索キーワードを入力可能な検索入力部を含む、該受信機能と、店舗を示す店舗情報と該店舗が販売する商品を示す情報とを含む１以上の商品情報を記憶する商品情報記憶部から、一の店舗の商品ページにおいて販売される販売商品を一意に特定できる文字列である商品特定情報を抽出する抽出機能と、検索入力部に商品特定情報が初期値として設定された一の店舗の商品ページを端末に送信する送信機能と、を実現させる。
【手続補正５】
【補正対象書類名】明細書
【補正対象項目名】００２１
【補正方法】変更
【補正の内容】
【００２１】
別の形態に係る商品検索支援サーバでは、送信部によって一の店舗の商品ページが端末に送信された後に、ユーザによる端末の操作により、一の店舗の商品ページから、検索キーワードが入力される検索入力部を有する検索ページへの遷移要求を検出したときに、検索入力部に商品特定情報を初期値として設定する追加部を更に備え、送信部は、検索入力部に商品特定情報が初期値として設定された検索ページを端末に送信してもよい。
【手続補正６】
【補正対象書類名】明細書
【補正対象項目名】００２３
【補正方法】変更
【補正の内容】
【００２３】
別の形態に係る商品検索支援サーバでは、ユーザの行動履歴を記憶する行動履歴記憶部から、ユーザの行動履歴を取得する行動履歴取得部と、行動履歴に基づいて、ユーザが、検索ページに移動した後に検索入力部による検索をする傾向があるか否かを判定する判定部と、を更に備え、追加部は、判定部により、ユーザが検索ページに移動した後に検索入力部による検索をする傾向がないと判定された場合には、検索入力部に商品特定情報を初期値として設定しないようにしてもよい。
また、本発明の別の一形態に係る商品検索支援サーバは、端末から一の店舗の商品ページの表示要求、又は、複数店舗の商品ページの中から検索を行うための検索キーワードを入力可能な検索入力部を有し商品ページとは異なる検索ページへの遷移要求を受信する受信部と、表示要求又は遷移要求に応じて、一の店舗の商品ページ又は検索ページを端末に送信する送信部とを備える商品検索支援サーバであって、表示要求を受信した場合に、店舗を示す店舗情報と該店舗が販売する商品を示す情報とを含む１以上の商品情報を記憶する商品情報記憶部から、一の店舗の商品ページにおいて販売される販売商品を一意に特定できる商品特定情報を抽出する抽出部と、端末のユーザが、検索ページを表示した後に該検索入力部を用いて検索をする傾向があるユーザであるか否かを、ユーザの行動履歴を記憶する記憶部から取得したユーザの行動履歴に基づいて判定する判定部と、送信部によって一の店舗の商品ページが端末に送信された後に、端末から検索ページへの遷移要求を受信した場合、判定部によりユーザが検索入力部を用いて検索をする傾向があるユーザであると判定された場合には、商品特定情報を初期値として検索ページの検索入力部に追加し、判定部によりユーザが検索入力部を用いて検索をする傾向があるユーザではないと判定された場合には、商品特定情報を初期値として検索ページの検索入力部に追加しない追加部と、を備える。
また、本発明の別の一形態に係る商品検索支援方法は、端末から一の店舗の商品ページの表示要求、又は、複数店舗の商品ページの中から検索を行うための検索キーワードを入力可能な検索入力部を有し商品ページとは異なる検索ページへの遷移要求を受信する受信部と、表示要求又は遷移要求に応じて、一の店舗の商品ページ又は検索ページを端末に送信する送信部とを備える商品検索支援サーバによって実行される商品検索支援方法であって、表示要求を受信した場合に、店舗を示す店舗情報と該店舗が販売する商品を示す情報とを含む１以上の商品情報を記憶する商品情報記憶部から、一の店舗の商品ページにおいて販売される販売商品を一意に特定できる商品特定情報を抽出する抽出ステップと、端末のユーザが、検索ページを表示した後に該検索入力部を用いて検索をする傾向があるユーザであるか否かを、ユーザの行動履歴を記憶する記憶部から取得したユーザの行動履歴に基づいて判定する判定ステップと、送信部によって一の店舗の商品ページが端末に送信された後に、端末から検索ページへの遷移要求を受信した場合、判定ステップにおいてユーザが検索入力部を用いて検索をする傾向があるユーザであると判定された場合には、商品特定情報を初期値として検索ページの検索入力部に追加し、判定ステップにおいてユーザが検索入力部を用いて検索をする傾向があるユーザではないと判定された場合には、商品特定情報を初期値として検索ページの検索入力部に追加しない追加ステップと、を含む。
本発明の別の一形態に係る商品検索支援プログラムは、コンピュータを、端末から一の店舗の商品ページの表示要求、又は、複数店舗の商品ページの中から検索を行うための検索キーワードを入力可能な検索入力部を有し商品ページとは異なる検索ページへの遷移要求を受信する受信機能と、表示要求又は遷移要求に応じて、一の店舗の商品ページ又は検索ページを端末に送信する送信機能とを備える商品検索支援サーバとして機能させるための商品検索支援プログラムであって、コンピュータに、表示要求を受信した場合に、店舗を示す店舗情報と該店舗が販売する商品を示す情報とを含む１以上の商品情報を記憶する商品情報記憶部から、一の店舗の商品ページにおいて販売される販売商品を一意に特定できる商品特定情報を抽出する抽出機能と、端末のユーザが、検索ページを表示した後に該検索入力部を用いて検索をする傾向があるユーザであるか否かを、ユーザの行動履歴を記憶する記憶部から取得したユーザの行動履歴に基づいて判定する判定機能と、送信機能によって一の店舗の商品ページが端末に送信された後に、端末から検索ページへの遷移要求を受信した場合、判定機能によりユーザが検索入力部を用いて検索をする傾向があるユーザであると判定された場合には、商品特定情報を初期値として検索ページの検索入力部に追加し、判定機能によりユーザが検索入力部を用いて検索をする傾向があるユーザではないと判定された場合には、商品特定情報を初期値として検索ページの検索入力部に追加しない追加機能と、を実現させる。